(57)【要約】【課題】輝線や輝度ムラの発生を未然に防止し、表示品位及び信頼性を向上させることができるバックライトユニット及び液晶表示装置の提供。【解決手段】導光板２と、導光板２の側面側に配置される冷陰極蛍光ランプ３と、導光板２の背面（非発光面）側に配置される反射シート５と、反射シート５を背面から支持すると共に冷陰極蛍光ランプ３を覆い、冷陰極蛍光ランプ３からの光を導光板２に反射させるリフレクター４とを少なくとも備えるエッジライト方式のバックライトユニットにおいて、リフレクター４に反射シート５側に突出する凸形状部４ａを設けたり、リフレクター４と反射シート５との間にスペーサを配設したり、反射シート５の端部を導光板２側に折り曲げるなどによって、導光板２の稜線２ａと反射シート５とを強制的に接触させる構造を設け、稜線２ａにおける光の乱反射を抑制する。【選択図】図３
2007265882.tif 000002
【特許請求の範囲】
【請求項１】
板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、
前記反射シートの前記光源側の端部を前記導光板側に湾曲させて、前記導光板の前記側面と前記背面とが交わる稜線と前記反射シートと当接させる手段を備えることを特徴とするバックライトユニット。
【請求項２】
板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、
前記リフレクターの、前記反射シートの前記光源側の端部近傍に、前記反射シート側に向かって突出する１以上の凸形状部を備え、
前記凸形状部により、前記反射シートの前記光源側の端部が前記導光板側に湾曲して、前記導光板の前記側面と前記背面とが交わる稜線と前記反射シートとが当接することを特徴とするバックライトユニット。
【請求項３】
板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、
前記リフレクターの、前記反射シートの前記光源側の端部近傍、かつ、前記反射シート側に、１以上のスペーサが固定され、
前記スペーサにより、前記反射シートの前記光源側の端部が前記導光板側に湾曲して、前記導光板の前記側面と前記背面とが交わる稜線と前記反射シートとが当接することを特徴とするバックライトユニット。
【請求項４】
板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、
前記反射シートの、前記光源側の端部近傍、かつ、前記リフレクター側に、１以上のスペーサが固定され、
前記スペーサにより、前記反射シートの前記光源側の端部が前記導光板側に湾曲して、前記導光板の前記側面と前記背面とが交わる稜線と前記反射シートとが当接することを特徴とするバックライトユニット。
【請求項５】
板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、
前記反射シートの前記光源側の端部に、前記導光板側に湾曲した折り曲げ部を備え、
前記折り曲げ部により、前記導光板の前記側面と前記背面とが交わる稜線と前記反射シートとが当接することを特徴とするバックライトユニット。
【請求項６】
前記凸形状部、前記スペーサ、及び、前記折り曲げ部の少なくとも１つは、前記導光板の前記側面に沿って延在していることを特徴とする請求項１乃至５のいずれか一に記載のバックライトユニット。
【請求項７】
請求項１乃至６のいずれか一に記載のバックライトユニットと、対向する基板間に液晶が挟持されてなる液晶パネルとを少なくとも備えることを特徴とする液晶表示装置。
【発明の詳細な説明】
【技術分野】
【０００１】
本発明は、バックライトユニット及び液晶表示装置に関し、特に、エッジライト方式のバックライトユニット及び該バックライトユニットを備える液晶表示装置に関する。
【背景技術】
【０００２】
液晶表示装置は小型、薄型、低消費電力という特質からＯＡ機器やテレビジョンのモニタなどとして広く用いられている。この液晶表示装置は、対向する透明基板間に液晶が狭持されてなる液晶パネルと、液晶パネルを照明するバックライト光を発生するバックライトユニットなどで構成される。また、バックライトユニットには、液晶パネルの背面に光源を配置して光源から出る光を反射板で反射する直下方式と、液晶パネルの側面に光源を配置して光源から出る光を導光板で液晶パネル背面全体に導くエッジライト方式（サイドライト方式とも呼ばれる。）と、液晶パネルの背面全体に面光源を配置して照明する面光源方式などがあるが、薄型の液晶表示装置では通常、エッジライト方式が利用される。
【０００３】
上記エッジライト方式のバックライトユニットは、図１５に示すように、アクリル樹脂などの透明なプラスティック樹脂からなる導光板２と、導光板２の側面に配置される冷陰極蛍光ランプ３などの光源と、冷陰極蛍光ランプ３から出射する光を導光板２側に反射する機能を具備したコの字形状のリフレクター４と、導光板２の背面（液晶パネルが配置される面と反対側の面）側に配置され、導光板２から漏れ出る光を反射して導光板２へ再入射させる反射シート５などで構成される（例えば、下記特許文献１参照）。
【０００４】
【特許文献１】特開２００２−２４５８２６号公報（第３−４頁、第１図）
【発明の開示】
【発明が解決しようとする課題】
【０００５】
近年、液晶表示装置は大型化が進められており、それに伴って液晶表示装置を構成する部品も大型になり、寸法公差の絶対値も大きくなる。このため、製品として組み立てたときに部品間に隙間が生じることがあり、この隙間が表示画面に輝線や輝度ムラを発生させるという問題がある。
【０００６】
例えば、図１５に示した従来のバックライトユニット１の場合、液晶表示装置を構成する部品の寸法ばらつきにより、導光板２と反射シート５との間に隙間が生じることがあり、この隙間が生じたときに、導光板２の稜線２ａ（冷陰極蛍光ランプ３側の面と反射シート５側の面とが交わる領域）において光の乱反射が生じ、表示上、冷陰極蛍光ランプ３の近傍に輝線や輝度ムラが発生する。
【０００７】
また、上記隙間は液晶表示装置に振動や衝撃を加えることで発生する場合があり、例えば、製品の輸送によって偶発的に発生するため、液晶表示装置の信頼性を低下させてしまうという問題もある。
【０００８】
本発明は、上記問題点に鑑みてなされたものであって、その主たる目的は、部品間の隙間、特に、導光板と反射シートとの間の隙間に起因する輝線や輝度ムラの発生を未然に防止し、表示品位及び信頼性を向上させることができるバックライトユニット及び該バックライトユニットを備える液晶表示装置を提供することにある。
【課題を解決するための手段】
【０００９】
上記目的を達成するため、本発明は、板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、前記反射シートの前記光源側の端部を前記導光板側に湾曲させて、前記導光板の前記側面と前記背面とが交わる稜線と前記反射シートと当接させる手段を備えるものである。
【００１０】
また、本発明は、板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、前記リフレクターの、前記反射シートの前記光源側の端部近傍に、前記反射シート側に向かって突出する１以上の凸形状部を備え、前記凸形状部により、前記反射シートの前記光源側の端部が前記導光板側に湾曲して、前記導光板の前記側面と前記背面とが交わる稜線と前記反射シートとが当接するものである。
【００１１】
また、本発明は、板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、前記リフレクターの、前記反射シートの前記光源側の端部近傍、かつ、前記反射シート側に、１以上のスペーサが固定され、前記スペーサにより、前記反射シートの前記光源側の端部が前記導光板側に湾曲して、前記導光板の前記側面と前記背面とが交わる稜線と前記反射シートとが当接するものである。
【００１２】
また、本発明は、板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、前記反射シートの、前記光源側の端部近傍、かつ、前記リフレクター側に、１以上のスペーサが固定され、前記スペーサにより、前記反射シートの前記光源側の端部が前記導光板側に湾曲して、前記導光板の前記側面と前記背面とが交わる稜線と前記反射シートとが当接するものである。
【００１３】
また、本発明は、板状の導光板と、前記導光板の少なくとも１つの側面に配置される光源と、前記導光板の背面に配置され、少なくとも前記光源側の端部が前記導光板からはみ出す反射シートと、前記反射シートを背面側から支持し、前記光源から出射する光を前記導光板側に反射するリフレクターと、を少なくとも備えるエッジライト方式のバックライトユニットにおいて、前記反射シートの前記光源側の端部に、前記導光板側に湾曲した折り曲げ部を備え、前記折り曲げ部により、前記導光板の前記側面と前記背面とが交わる稜線と前記反射シートとが当接するものである。
【００１４】
本発明においては、前記凸形状部、前記スペーサ、及び、前記折り曲げ部の少なくとも１つは、前記導光板の前記側面に沿って延在している構成とすることができる。
【００１５】
また、本発明の液晶表示装置は、上記いずれか一に記載のバックライトユニットと、対向する基板間に液晶が挟持されてなる液晶パネルとを少なくとも備えるものである。
【００１６】
このように、本発明の構成によれば、エッジライト方式のバックライトユニットに、導光板の光源側の側面と反射シート側の背面とが交わる稜線と反射シートとを当接させる構造を備えているため、稜線における光の乱反射を抑制して輝線や輝度ムラの発生を未然に防止することができ、液晶表示装置の表示品位及び信頼性の向上を図ることができる。
【発明の効果】
【００１７】
本発明のバックライトユニット及び液晶表示装置によれば、導光板と反射シートとの間に隙間に起因する輝線や輝度ムラの発生を未然に防止し、液晶表示装置の表示品位及び信頼性の向上を図ることができる。
【００１８】
その理由は、導光板の側面に光源が配置され、導光板の背面に反射シートが配置され、これらが光源からの光を導光板に反射させるリフレクターで保持されてなる構造のエッジライト方式のバックライトユニットにおいて、リフレクターに反射シート側に突出する凸形状部を設けて反射シートの光源側端部を導光板側に湾曲させたり、リフレクターと反射シートとの間にスペーサを配設して反射シートの光源側端部を導光板側に湾曲させたり、反射シートの光源側端部を導光板側に折り曲げることによって、導光板の厚さのばらつきなどの液晶表示装置を構成する部品の寸法ばらつきが生じた場合や輸送中などに液晶表示装置に振動や衝撃が加えられた場合でも、常に導光板の稜線と反射シートとを接触させることができるからである。
【発明を実施するための最良の形態】
【００１９】
本発明のエッジライト方式のバックライトユニットは、その好ましい一実施の形態において、導光板と、導光板の側面に配置される光源と、導光板の背面（非発光面）側に配置される反射シートと、反射シートを背面から支持すると共に光源を覆い、光源からの光を導光板に反射させるリフレクターとを少なくとも備え、リフレクターに反射シート側に突出する凸形状部を設けたり、リフレクターと反射シートとの間にスペーサを配設したり、反射シートの光源側端部を導光板側に折り曲げるなどによって、導光板の稜線と反射シートとを強制的に接触させる構造を備えるものであり、稜線において光の乱反射を抑制することにより、輝線や輝度ムラの発生を未然に防止することができ、これによりバックライトユニットを備える液晶表示装置の表示品位及び信頼性を向上させることができる。
【実施例１】
【００２０】
上記した本発明の実施の形態についてさらに詳細に説明すべく、本発明の第１の実施例に係るバックライトユニット及び該バックライトユニットを備える液晶表示装置について、図１乃至図７を参照して説明する。図１は、本実施例のバックライトユニットの外観構造を示す斜視図であり、図２は、図１のＸ−Ｘ線における構造を示す断面図である。また、図３は、バックライトユニットの冷陰極蛍光ランプ近傍の構造を示す断面図であり、図４は、リフレクターの冷陰極蛍光ランプ近傍の構造を示す斜視図である。また、図５乃至図７は、凸形状部の他の構造を示す図である。
【００２１】
液晶表示装置は、液晶パネル（形状や構造、駆動方式は問わない。）と、液晶パネルにバックライト光を照射するエッジライト方式のバックライトユニットとを主な構成要素としている。
【００２２】
液晶パネルは、マトリクス状に配列された各々の画素に薄膜トランジスタ（ＴＦＴ：Thin Film Transistor）などのスイッチング素子が形成された第１の基板と、カラーフィルタやブラックマトリクスなどが形成された第２の基板との間に液晶が挟持されて構成され、第１の基板には、液晶パネルを制御するためのコントロール回路基板などの外部回路基板と接続するためのＦＰＣ（Flexible Printed Circuit）が接続され、ＦＰＣはバックライトユニットの背面（表示面と反対側の面）に折り返される。
【００２３】
また、図１及び図２に示すように、バックライトユニット１は、アクリル樹脂などの透明なプラスティック樹脂などからなる導光板２と、導光板２の側面に配置される、１又は複数の冷陰極蛍光ランプやＬＥＤ（Light Emitting Diode）などの光源（以下、冷陰極蛍光ランプ３とする。）と、導光板２の背面（非発光面）側に配置され、導光板２から漏れ出る光を反射して導光板２へ再入射させて光の利用効率を高める反射シート５と、反射シート５を背面から支持すると共に冷陰極蛍光ランプ３を覆うようにコの字状に形成され、冷陰極蛍光ランプ３から出射する光を導光板２側に反射させるリフレクター４と、導光板２から出射するバックライト光を均一な光にするための拡散シートやレンズシート、偏光シートなどの光学シート（図示せず）などで構成される。
【００２４】
上記リフレクター４は、主に金属板に白色のプラスティックフィルムを張り合わせた複合材料からなり、冷陰極蛍光ランプ３が発した光を効率よく導光板２へ入射させるように構成されている。また、反射シート５は、主に白色のプラスティックフィルムからなり、導光板２から漏れ出る光を確実に反射できるように、導光板２よりも外形寸法が大きく、導光板２からはみ出るように構成されている。
【００２５】
なお、本発明はバックライトユニット１の背面側の構造に特徴を有するものであり、他の部分（導光板２や光源、光学シート、液晶パネルなど）の構成や配置、寸法などは任意である。また、本発明はエッジライト方式全般に適用することができ、例えば、冷陰極蛍光ランプ３を導光板２の対向する２辺に配置する構造に対しても適用することもできる。
【００２６】
上記構成の液晶表示装置用のバックライトユニット１において、従来技術で示したように、液晶表示装置を構成する部品の寸法ばらつきや運搬中の衝撃、振動などにより、導光板２の冷陰極蛍光ランプ３側の面と反射シート５側の面とが交わる領域（以下、稜線２ａと呼ぶ。）と反射シート５との間に隙間が生じた場合に、稜線２ａにおいて光の乱反射が生じ、表示上、冷陰極蛍光ランプ３の近傍に輝線や輝度ムラが発生するという問題が生じる。そこで、本実施例のバックライトユニット１では上記問題を回避するために、導光板２の稜線２ａと反射シート５とを強制的に接触させる構造を設ける。
【００２７】
具体的には、図３（図２の冷陰極蛍光ランプ３近傍を拡大した図）に示すように、リフレクター４の、反射シート５の光源側端部近傍の領域に、反射シート５側に突出する凸形状部４ａを設ける。この凸形状部４ａは、リフレクター４の曲げ、絞りなどの加工によって形成することができ、導光板２からはみ出している反射シート５の光源側端部が凸形状部４ａに乗り上げて導光板２側に湾曲することによって、導光板２の稜線２ａと反射シート５の端部とを当接させることができる。
【００２８】
なお、この凸形状部４ａの大きさは図の構成に限定されず、例えば、リフレクター４と反射シート５との間の隙間や反射シート５と導光板２との間の隙間が大きい場合は凸形状部４ａを大きくするなど、各構成部材の寸法精度に応じて適宜調整することができる。また、この凸形状部４ａは、反射シート５の導光板２からはみ出した部分に当接するように形成されていればよく、その位置は適宜調整することができる。
【００２９】
また、この凸形状部４ａは、導光板２の稜線２ａの全長において反射シート５を当接させるために、図４に示すように、冷陰極蛍光ランプ３の延在方向（図の奥行き方向）に沿って連続するように形成することが好ましいが、反射シート５が適度な堅さを有する場合は、例えば、図５に示すように、冷陰極蛍光ランプ３の延在方向に沿って複数の凸形状部４ａを離間して配置することもできる。
【００３０】
また、図２乃至図４では、図１のＸ−Ｘ方向における断面が半円状の凸形状部４ａを示したが、凸形状部４ａの形状は任意であり、例えば、図６に示すように、断面が三角形の凸形状部４ａとしたり、断面が矩形状の凸形状部４ａなどとすることもできる。また、図２乃至４、６では、凸形状部４ａを冷陰極蛍光ランプ３の延在方向に沿って１つ設ける構造を示したが、反射シート５をなだらかに湾曲させるために、図７に示すように、大きさや形状が異なる凸形状部４ａを複数列設ける構成とすることもできる。
【００３１】
このように、本実施例のバックライトユニット１では、導光板２から光源側にはみ出ている反射シート５の端部が、リフレクター４に形成された凸形状部４ａに乗り上げて湾曲することによって、導光板２の稜線２ａと反射シート５とを常に接触させることができるため、導光板２の稜線２ａにおける光の乱反射を抑制することができ、これにより、輝線や輝度ムラの発生を未然に防止し、液晶表示装置の表示品位及び信頼性を向上させることができる。
【実施例２】
【００３２】
次に、本発明の第２の実施例に係るバックライトユニット及び該バックライトユニットを備える液晶表示装置について、図８乃至図１２を参照して説明する。図８乃至図１２は、バックライトユニットの冷陰極蛍光ランプ近傍の構造を示す断面図である。
【００３３】
前記した第１の実施例では、リフレクター４を加工して凸形状部４ａを形成し、この凸形状部４ａによって反射シート５の光源側端部を導光板２側に湾曲させたが、反射シート５を湾曲させる手段はリフレクター４に一体的に形成する必要はなく、別部品として構成することもできる。
【００３４】
例えば、図８に示すように、反射シート５の光源側端部に沿って、プラスティック樹脂、ゴム、金属などからなるスペーサ６を接着剤などでリフレクター４上に固定し、このスペーサ６に反射シート５の光源側端部が乗り上げるようにしても、前記した凸形状部４ａと同様の効果を得ることができる。また、図９に示すように、スペーサ６を接着剤などで反射シート５の光源側端部端部に沿って張り付けるようにしても、前記した凸形状部４ａと同様の効果を得ることができる。
【００３５】
なお、このスペーサ６の大きさは図の構成に限定されず、各構成部材の寸法精度に応じて適宜調整することができる。また、このスペーサ６は、反射シート５の導光板２からはみ出した部分に当接するように配置されていればよく、その位置は適宜調整することができる。
【００３６】
また、このスペーサ６は、冷陰極蛍光ランプ３の延在方向に沿って連続するように配置することが好ましいが、第１の実施例と同様に、反射シート５が適度な堅さを有する場合は、複数のスペーサ６を離間して配置してもよい。また、このスペーサ６の形状や本数も任意であり、例えば、図１０に示すように、断面を半円形としたり、三角形や矩形などとしてもよいし、反射シート５をなだらかに湾曲させるために、図１１に示すように、大きさや形状が異なるスペーサ６を複数列設ける構成とすることもできる。
【００３７】
また、図８乃至図１１では、リフレクター４と反射シート５との間にスペーサ６を設ける構造を示したが、例えば、図１２に示すように、リフレクター４の背面側からねじやピンなどの押圧手段７を差し込んで反射シート５の光源側端部を導光板２側に押圧して湾曲させる構造としてもよく、押圧手段７をねじ込み構造にすることによって反射シート５の湾曲量をバックライトユニット１の組み立て後においても調整可能にすることができる。
【００３８】
このように、本実施例のバックライトユニット１では、導光板２から光源側にはみ出ている反射シート５の端部が、リフレクター４上に配設されたスペーサ６に乗り上げて、又は、押圧手段７によって押し上げられて湾曲することによって、導光板２の稜線２ａと反射シート５とを常に接触させることができるため、導光板２の稜線２ａにおける光の乱反射を抑制することができ、これにより、輝線や輝度ムラの発生を未然に防止し、液晶表示装置の表示品位及び信頼性を向上させることができる。
【実施例３】
【００３９】
次に、本発明の第３の実施例に係るバックライトユニット及び該バックライトユニットを備える液晶表示装置について、図１３及び図１４を参照して説明する。図１３及び図１４は、バックライトユニットの冷陰極蛍光ランプ近傍の構造を示す断面図である。
【００４０】
前記した第１の実施例ではリフレクター４を加工して凸形状部４ａを形成し、第２の実施例ではリフレクター４と反射シート５との間にスペーサ６を配置し又は押圧手段７を差し込み、この凸形状部４ａやスペーサ６、押圧手段７によって反射シート５の光源側端部を導光板２側に湾曲させたが、リフレクター４に凸形状部４ａを形成したり、リフレクター４と反射シート５との間にスペーサ６を配設したり、リフレクター４に押圧手段７を差し込むことが困難な場合も考えられる。
【００４１】
そのような場合に、反射シート５が適度に堅ければ、図１３に示すように、反射シート５を光源側端部近傍の任意の箇所で折り曲げて、折り曲げ部５ａと導光板２の稜線２ａとを当接させるようにしてもよい。また、折り曲げ部５ａの形状を安定させるために、図１４に示すように、反射シート５を光源側端部近傍の任意の箇所で複数回折り曲げてもよい。これによっても、導光板２の稜線２ａにおける光の乱反射を抑制することができ、これにより、輝線や輝度ムラの発生を未然に防止し、液晶表示装置の表示品位及び信頼性を向上させることができる。
【００４２】
なお、上記各実施例の構造は単独で用いてもよいし、任意に組み合わせてもよい。また、上記各実施例では、バックライトユニット１に凸形状部４ａやスペーサ６、ねじ７、折り曲げ部５ａを設ける構造を示したが、本発明は上記実施例に限定されるものではなく、導光板２の稜線２ａと反射シート５とを当接させることができる他の構造を用いてもよい。また、上記各実施例においては導光板２の形状について特に記載してないが、具体的には、平板形状や楔形状などであっても良い。さらに、図１では枠状のリフレクター４の例を示したが、これに限定されるものではなく、少なくとも光源に近接する導光板２の背面の辺にリフレクター４が配置されていればよい。
【産業上の利用可能性】
【００４３】
本発明は、エッジライト方式で照明するバックライトユニット、及び、該バックライトユニットを備える任意の液晶表示装置、並びに、該液晶表示装置を表示手段として備える任意の機器に適用することができる。
【図面の簡単な説明】
【００４４】
【図１】本発明の第１の実施例に係るバックライトユニットの構造を示す斜視図である。
【図２】本発明の第１の実施例に係るバックライトユニットの構造を示す図であり、図１のＸ−Ｘ線断面を示す図である。
【図３】本発明の第１の実施例に係るバックライトユニットの冷陰極蛍光ランプ近傍の構造を示す断面図である。
【図４】本発明の第１の実施例に係るバックライトユニットのリフレクターの構造を示す斜視図である。
【図５】本発明の第１の実施例に係るバックライトユニットのリフレクターの他の構造を示す斜視図である。
【図６】本発明の第１の実施例に係るバックライトユニットの冷陰極蛍光ランプ近傍の他の構造を示す断面図である。
【図７】本発明の第１の実施例に係るバックライトユニットの冷陰極蛍光ランプ近傍の他の構造を示す断面図である。
【図８】本発明の第２の実施例に係るバックライトユニットの冷陰極蛍光ランプ近傍の構造を示す断面図である。
【図９】本発明の第２の実施例に係るバックライトユニットの冷陰極蛍光ランプ近傍の他の構造を示す断面図である。
【図１０】本発明の第２の実施例に係るバックライトユニットの冷陰極蛍光ランプ近傍の他の構造を示す断面図である。
【図１１】本発明の第２の実施例に係るバックライトユニットの冷陰極蛍光ランプ近傍の他の構造を示す断面図である。
【図１２】本発明の第２の実施例に係るバックライトユニットの冷陰極蛍光ランプ近傍の他の構造を示す断面図である。
【図１３】本発明の第３の実施例に係るバックライトユニットの冷陰極蛍光ランプ近傍の構造を示す断面図である。
【図１４】本発明の第３の実施例に係るバックライトユニットの冷陰極蛍光ランプ近傍の他の構造を示す断面図である。
【図１５】従来のバックライトユニットの冷陰極蛍光ランプ近傍の構造を示す断面図である。
【符号の説明】
【００４５】
１  バックライトユニット
２  導光板
２ａ  稜線
３  冷陰極蛍光ランプ
４  リフレクター
４ａ  凸形状部
５  反射シート
５ａ  折り曲げ部
６  スペーサ
７  押圧手段
【図１】
2007265882.tif 000003
【図２】
2007265882.tif 000004
【図３】
2007265882.tif 000005
【図４】
2007265882.tif 000006
【図５】
2007265882.tif 000007
【図６】
2007265882.tif 000008
【図７】
2007265882.tif 000009
【図８】
2007265882.tif 000010
【図９】
2007265882.tif 000011
【図１０】
2007265882.tif 000012
【図１１】
2007265882.tif 000013
【図１２】
2007265882.tif 000014
【図１３】
2007265882.tif 000015
【図１４】
2007265882.tif 000016
【図１５】
2007265882.tif 000017